(57)【要約】【課題】  複数の音声入力部がある場合であっても独立して音声ミュート等を行うことが可能なプロジェクター等を提供すること。【解決手段】  プロジェクター１００が、第１の音声信号が入力されるマイク入力端子１１０と、第２の音声信号が入力されるライン入力端子１１４と、第１の音声信号および第２の音声信号が合成された音声信号を増幅して第３の増幅音声信号を生成する音声増幅部１７０と、第３の増幅音声信号に基づき、第３の音声を出力する音声出力部１７２と、操作情報が入力される操作情報入力部１２０と、ボタンと指示内容との対応付けを示す指示データ１４２を記憶する記憶部１４０と、操作情報と、指示データ１４２とに基づき、消音指示情報を生成する情報生成部１３０と、消音指示情報に基づき、消音制御を行う制御部１６０を含んで構成される。【選択図】  図３
2011055182.tif 000002
【特許請求の範囲】
【請求項１】
第１の音声信号が入力される第１の音声入力部と、
第２の音声信号が入力される第２の音声入力部と、
前記第１の音声信号および前記第２の音声信号の少なくとも一方に対応する音声を出力する処理を実行する音声出力部と、
少なくとも１つのボタンの操作による操作情報が入力される操作情報入力部と、
前記ボタンと指示内容との対応付けを示す指示データを記憶する記憶部と、
前記操作情報と、前記指示データとに基づき、前記第１の音声信号に対応する第１の音声に対する消音指示、前記第２の音声信号に対応する第２の音声に対する消音指示または前記第１の音声および前記第２の音声に対する消音指示を示す消音指示情報を生成する情報生成部と、
前記消音指示情報に基づき、消音制御を行う制御部と、
を含むプロジェクター。
【請求項２】
請求項１に記載のプロジェクターにおいて、
前記指示データは、前記プロジェクターの種別ごとに設けられ、
前記情報生成部は、前記プロジェクターの種別と、前記操作情報と、前記指示データとに基づき、前記消音指示情報を生成する、
プロジェクター。
【請求項３】
請求項１、２のいずれかに記載のプロジェクターにおいて、
前記第１の音声入力部からの前記第１の音声信号のゲインを調整することにより、前記第１の音声の音量を調整する第１のゲイン調整部と、
前記第２の音声入力部からの前記第２の音声信号のゲインを調整することにより、前記第２の音声の音量を調整する第２のゲイン調整部と、
前記第１のゲイン調整部からの前記第１の音声信号および前記第２のゲイン調整部からの前記第２の音声信号の少なくとも一方を増幅する音声増幅部と、
を含み、
前記制御部は、前記第１の音声に対する消音指示を行う場合は前記第１のゲイン調整部に対して前記消音制御を行い、前記第２の音声に対する消音指示を行う場合は前記第２のゲイン調整部に対して前記消音制御を行い、前記第１の音声および前記第２の音声に対する消音指示を行う場合は前記第１のゲイン調整部および前記第２のゲイン調整部に対して前記消音制御を行うか、あるいは、前記音声増幅部に対して前記消音制御を行う、
プロジェクター。
【請求項４】
請求項１〜３のいずれかに記載のプロジェクターにおいて、
前記第１の音声信号は、マイク音声信号であって、
前記第２の音声信号は、マイク音声信号以外の音声信号であって、
前記制御部は、前記第１の音声入力部にマイク端子が接続されたことを示すマイク検出信号に基づき、前記消音制御を行う、
プロジェクター。
【請求項５】
請求項１〜４のいずれかに記載のプロジェクターにおいて、
画像を生成する画像生成部と、
前記画像を投写する投写部と、
を含み、
前記情報生成部は、前記操作情報と、前記指示データとに基づき、画像の非表示指示を示す非表示指示情報を生成し、
前記制御部は、前記非表示指示情報に基づき、前記画像生成部を制御して前記非表示制御に応じた画像を生成させる、
プロジェクター。
【請求項６】
第１の音声信号が入力される第１の音声入力部と、第２の音声信号が入力される第２の音声入力部と、前記第１の音声信号および前記第２の音声信号の少なくとも一方に対応する音声を出力する処理を実行する音声出力部と、少なくとも１つのボタンの操作による操作情報が入力される操作情報入力部と、前記ボタンと指示内容との対応付けを示す指示データを記憶する記憶部とを含むプロジェクターの有するコンピューターが、
前記操作情報と、前記指示データとに基づき、前記第１の音声信号に対応する第１の音声に対する消音指示、前記第２の音声信号に対応する第２の音声に対する消音指示または前記第１の音声および前記第２の音声に対する消音指示を示す消音指示情報を生成し、
前記消音指示情報に基づき、消音制御を行う、
ミュート制御方法。
【発明の詳細な説明】
【技術分野】
【０００１】
本発明は、プロジェクターおよびミュート制御方法に関する。
【背景技術】
【０００２】
画像ミュート（画像の非表示）と音声ミュート（消音）を行う機能を有するプロジェクターが提案されている。例えば、特開２００３−２８００８７号公報では、Ａ／Ｖミュートの選択入力が行われた場合に、画像ミュート、音声ミュート等を行う処理、音声ミュートを行わずに画像ミュート等を行う処理等を実行することが記載されている。
【先行技術文献】
【特許文献】
【０００３】
【特許文献１】特開２００３−２８００８７号公報
【発明の概要】
【発明が解決しようとする課題】
【０００４】
しかし、当該公報では、音声ミュートの手法については具体的に記載されていない。例えば、複数の音声入力部（例えば、マイク入力端子とライン入力端子等）を有する場合であっても、プロジェクターは、ミュート有効化またはミュート解除を一括して行うことしかできなかった。
【０００５】
このため、ユーザーは、マイクに搭載されたスイッチでマイクのみのミュートを行う必要がある上、マイク自体にスイッチがない場合はミュートを行うことができなかった。また、マイクのスイッチがＯＮ状態で使用されていない状態でミュート解除が行われることにより、ハウリングやノイズが発生することがあった。
【０００６】
また、家庭用プロジェクターと業務用プロジェクターではマイクの使用状況が異なるため、プロジェクターは、プロジェクターの種別に応じて適切な音声出力制御を行うことが必要である。例えば、プロジェクターに接続されるマイクは、家庭用ではカラオケとして使用され、業務用では拡声器として使用されるため、プロジェクターの種別によってマイクの使用目的が異なる。
【０００７】
本発明にかかるいくつかの態様は、上記課題を解決することにより、複数の音声入力部がある場合であっても独立して音声ミュート等を行うことが可能なプロジェクターおよびミュート制御方法を提供するものである。
【課題を解決するための手段】
【０００８】
本発明の態様の１つであるプロジェクターは、第１の音声信号が入力される第１の音声入力部と、第２の音声信号が入力される第２の音声入力部と、前記第１の音声信号および前記第２の音声信号の少なくとも一方に対応する音声を出力する処理を実行する音声出力部と、少なくとも１つのボタンの操作による操作情報が入力される操作情報入力部と、前記ボタンと指示内容との対応付けを示す指示データを記憶する記憶部と、前記操作情報と、前記指示データとに基づき、前記第１の音声信号に対応する第１の音声に対する消音指示、前記第２の音声信号に対応する第２の音声に対する消音指示または前記第１の音声および前記第２の音声に対する消音指示を示す消音指示情報を生成する情報生成部と、前記消音指示情報に基づき、消音制御を行う制御部と、を含むことを特徴とする。
【０００９】
また、本発明の態様の１つであるミュート制御方法は、第１の音声信号が入力される第１の音声入力部と、第２の音声信号が入力される第２の音声入力部と、前記第１の音声信号および前記第２の音声信号の少なくとも一方に対応する音声を出力する処理を実行する音声出力部と、少なくとも１つのボタンの操作による操作情報が入力される操作情報入力部と、前記ボタンと指示内容との対応付けを示す指示データを記憶する記憶部とを含むプロジェクターの有するコンピューターが、前記操作情報と、前記指示データとに基づき、前記第１の音声信号に対応する第１の音声に対する消音指示、前記第２の音声信号に対応する第２の音声に対する消音指示または前記第１の音声および前記第２の音声に対する消音指示を示す消音指示情報を生成し、前記消音指示情報に基づき、消音制御を行うことを特徴とする。
【００１０】
本発明によれば、プロジェクターは、指示データを記憶しておき、操作に応じて消音制御を行うことにより、複数の音声入力部がある場合であっても独立して音声ミュート等を行うことができる。
【００１１】
また、前記指示データは、前記プロジェクターの種別ごとに設けられ、前記情報生成部は、前記プロジェクターの種別と、前記操作情報と、前記指示データとに基づき、前記消音指示情報を生成してもよい。
【００１２】
これによれば、プロジェクターは、プロジェクターの種別によって消音制御内容が異なる場合であっても、プロジェクターの種別に応じて適切な消音制御を行うことができる。
【００１３】
また、前記プロジェクターは、前記第１の音声入力部からの前記第１の音声信号のゲインを調整することにより、前記第１の音声の音量を調整する第１のゲイン調整部と、前記第２の音声入力部からの前記第２の音声信号のゲインを調整することにより、前記第２の音声の音量を調整する第２のゲイン調整部と、前記第１のゲイン調整部からの前記第１の音声信号および前記第２のゲイン調整部からの前記第２の音声信号の少なくとも一方を増幅する音声増幅部と、を含み、前記制御部は、前記第１の音声に対する消音指示を行う場合は前記第１のゲイン調整部に対して前記消音制御を行い、前記第２の音声に対する消音指示を行う場合は前記第２のゲイン調整部に対して前記消音制御を行い、前記第１の音声および前記第２の音声に対する消音指示を行う場合は前記第１のゲイン調整部および前記第２のゲイン調整部に対して前記消音制御を行うか、あるいは、前記音声増幅部に対して前記消音制御を行ってもよい。
【００１４】
これによれば、プロジェクターは、複数の音声入力部から音声信号が入力される状況でっても、各音声に対して適切な消音制御を行うことができる。
【００１５】
また、前記第１の音声信号は、マイク音声信号であって、前記第２の音声信号は、マイク音声信号以外の音声信号であって、前記制御部は、前記第１の音声入力部にマイク端子が接続されたことを示すマイク検出信号に基づき、前記消音制御を行ってもよい。
【００１６】
これによれば、プロジェクターは、マイク音声とマイク音声以外の音声が同時に入力される状況であっても、操作に応じて適切な消音制御を行うことができる。
【００１７】
また、前記プロジェクターは、画像を生成する画像生成部と、前記画像を投写する投写部と、を含み、前記情報生成部は、前記操作情報と、前記指示データとに基づき、画像の非表示指示を示す非表示指示情報を生成し、前記制御部は、前記非表示指示情報に基づき、前記画像生成部を制御して前記非表示制御に応じた画像を生成させてもよい。
【００１８】
これによれば、プロジェクターは、音だけでなく画像に対しても適切な非表示制御を行うことができる。
【図面の簡単な説明】
【００１９】
【図１】第１の実施例におけるプロジェクターの外観図である。
【図２】図２（Ａ）は、第１の実施例における家庭用プロジェクター向けのリモコンの外観図であり、図２（Ｂ）は、第１の実施例における業務用プロジェクター向けのリモコンの外観図である。
【図３】第１の実施例におけるプロジェクターの機能ブロック図である。
【図４】第１の実施例における家庭用プロジェクター向けの指示データの一例を示す図である。
【図５】第１の実施例における業務用プロジェクター向けの指示データの一例を示す図である。
【図６】第１の実施例におけるミュート制御手順を示すフローチャートである。
【図７】第２の実施例におけるプロジェクターの機能ブロック図である。
【図８】第２の実施例における指示データの一例を示す図である。
【図９】第２の実施例における指示データの設定手順を示すフローチャートである。
【図１０】第２の実施例における指示画像の一例を示す図である。
【発明を実施するための形態】
【００２０】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２１】
（第１の実施例）
図１は、第１の実施例におけるプロジェクター１００の外観図である。プロジェクター１００は、ＤＶＤドライブユニットを内蔵した携帯型のプロジェクターである。プロジェクター１００の背面にはマイク音声が入力されるマイク入力端子、オーディオ端子、ビデオ端子、コンポーネント端子、ＵＳＢ端子等が設けられている。プロジェクター１００の種別には家庭用と業務用があり、それぞれの仕様が若干異なっている。
【００２２】
図２（Ａ）は、第１の実施例における家庭用プロジェクター向けのリモコン（リモートコントローラー）２００−１の外観図であり、図２（Ｂ）は、第１の実施例における業務用プロジェクター向けのリモコン２００−２の外観図である。
【００２３】
例えば、家庭用プロジェクター向けのリモコン２００−１には、画像の非表示とマイク音声およびライン音声の消音を行うためのブレイクボタン２１１、マイク音声およびライン音声の消音を行うためのミュートボタン２２０、マイク音声信号の入力レベルの調整等を行うためのマイク入力レベルボタン２３０、入力中の信号の検出等を行うための入力検出ボタン２４０等が設けられている。
【００２４】
これに対し、業務用プロジェクター向けのリモコン２００−２は、リモコン２００−１と同様の構成であるが、ブレイクボタン２１１の位置に画像の非表示とライン音声の消音を行うためのＡ／Ｖミュートボタン２１２が設けられている。すなわち、ブレイクボタン２１１が押された場合はマイク音声の消音も行われるが、Ａ／Ｖミュートボタン２１２が押された場合はマイク音声の消音は行われない。
【００２５】
これは、例えば、家庭用のプロジェクター１００の場合、比較的狭い空間で使用されるため、画像を非表示にした状態でマイクは使用されない可能性が高いのに対し、業務用のプロジェクター１００の場合、広い空間で使用される可能性もあるため、画像を非表示にした状態でマイクも使用される可能性があるからである。
【００２６】
本実施例のプロジェクター１００は、プロジェクター１００の種別に応じてミュート制御（画像の非表示制御および音声の消音制御）を行う機能を有している。また、本実施例のプロジェクター１００は、ユーザー指示に応じて多彩なミュート制御を行う機能を有している。
【００２７】
次に、このような機能を有するプロジェクター１００の機能ブロックについて説明する。図３は、第１の実施例におけるプロジェクター１００の機能ブロック図である。プロジェクター１００は、マイクに接続されたマイク端子と接続されるマイク入力端子１１０と、マイク入力端子１１０からのマイク音声信号を増幅するマイクアンプ部１１２と、ライン入力端子１１４と、マイクアンプ部１１２からのマイク音声信号のレベルを検出するとともに、ライン入力端子１２０からのライン音声信号のレベルを検出するレベル検出部１９４を含んで構成されている。
【００２８】
また、プロジェクター１００は、ゲイン（係数）を調整することによってマイク音声の音量等を調整する第１のゲイン調整部１５０と、ゲインを調整することによってライン音声の音量等を調整する第２のゲイン調整部１５２と、第１のゲイン調整部１５０からのマイク音声信号と第２のゲイン調整部１５２からのライン音声信号の合成（ミキシング）を行う混合部１９６と、混合部１９６からの音声信号を増幅する音声増幅部１７０と、音声増幅部１７０からの増幅音声信号に基づいて音声を出力する音声出力部１７２を含んで構成されている。
【００２９】
また、プロジェクター１００は、リモコン２００からの操作情報が入力される操作情報入力部１２０と、指示データ１４２等を記憶する記憶部１４０と、操作情報、指示データ１４２等に応じて指示情報を生成する情報生成部１３０と、指示情報に応じて第１のゲイン調整部１５０等を制御する制御部１６０と、画像信号が入力される画像入力端子１９２と、画像信号等に応じて画像を生成する画像生成部１８０と、画像を投写する投写部１９０を含んで構成されている。
【００３０】
なお、マイク入力端子１１０は、第１の音声信号であるマイク音声信号が入力される第１の音声入力部として機能し、ライン入力端子１１４は、第２の音声信号であるライン音声信号が入力される第２の音声入力部として機能する。また、音声増幅部１７０は、第１の音声信号および第２の音声信号が合成された音声信号を増幅して第３の増幅音声信号を生成する処理を実行する機能を有し、音声出力部１７２は、当該第３の増幅音声信号に基づき、第３の音声を出力する機能を有している。
【００３１】
また、ライン入力端子１１４には、例えば、外部装置（例えば、ＣＤプレーヤー、ＤＶＤプレーヤー、ＰＣ等）からの音声信号、内蔵ＤＶＤドライブユニットからの音声信号、ＵＳＢメモリーからの音声信号等が入力される。
【００３２】
また、プロジェクター１００は、以下のハードウェアを用いてこれらの各部として機能してもよい。例えば、プロジェクター１００は、操作情報入力部１２０はリモコン２００からの赤外線を受光する赤外線受光ユニット等、情報生成部１３０、制御部１６０はＣＰＵ等、記憶部１４０は不揮発性メモリー等、画像生成部１８０は画像処理回路等、投写部１９０はランプ、液晶パネル、液晶駆動回路、レンズ等、レベル検出部１９４、第１のゲイン調整部１５０、第２のゲイン調整部１５２はオーディオコントローラーとして機能するＤＳＰ(Digital Signal Processor)等を用いてもよい。その他の各部は、一般的な端子、アンプ、スピーカー等である。
【００３３】
ここで、指示データ１４２についてより詳細に説明する。図４は、第１の実施例における家庭用プロジェクター向けの指示データ１４２−１の一例を示す図である。また、図５は、第１の実施例における業務用プロジェクター向けの指示データ１４２−２の一例を示す図である。
【００３４】
指示データ１４２には、家庭用プロジェクター向けの指示データ１４２−１と、業務用プロジェクター向けの指示データ１４２−２が含まれている。指示データ１４２の項目としては、例えば、ミュートを有効にするボタン、ミュートを解除するボタン、ミュート指示対象（画像、ライン音声、マイク音声）等が該当する。プロジェクター１００は、プロジェクター１００の種別に応じて使用する指示データ１４２を決定する。
【００３５】
例えば、画像、ライン音声、マイク音声のすべてをミュートする場合、ユーザーは、家庭用プロジェクターであればブレイクボタン２１１を押し、業務用プロジェクターであればＡ／Ｖミュートボタン２１２を押してからマイク入力レベルボタン２３０を押す。また、例えば、マイク音声のみをミュートする場合、ユーザーは、プロジェクター１００の種別に関わらず、ミュートボタン２２０を押してから入力検出ボタン２４０を押す。
【００３６】
このように、ユーザーは、リモコン２００のボタン操作のみで多彩なミュート指示を行うことができる。
【００３７】
次に、第１の実施例におけるミュート制御手順について説明する。図６は、第１の実施例におけるミュート制御手順を示すフローチャートである。
【００３８】
情報生成部１３０は、操作情報入力部１２０からの操作情報に基づき、ミュート指示操作があったかどうかを判定する（ステップＳ１）。例えば、ブレイクボタン２１１とＡ／Ｖミュートボタン２１２は同じボタンＩＤであるため、情報生成部１３０は、２種類（ブレイクボタン２１１またはＡ／Ｖミュートボタン２１２とミュートボタン２２０）のボタンＩＤのボタン押下操作を判定することにより、ミュート指示操作があったかどうかを判定することができる。
【００３９】
なお、本実施例では、図４および図５に示すように、ミュート指示操作時に最初に押されるボタンは、ブレイクボタン２１１、Ａ／Ｖミュートボタン２１２、ミュートボタン２２０のいずれかである。
【００４０】
また、情報生成部１３０は、ミュート指示操作があった場合、プロジェクター１００の種別と、操作情報と、指示データ１４２に基づき、非表示指示情報および消音指示情報の少なくとも一方を生成する（ステップＳ２）。なお、プロジェクター１００の種別を示すデータはフラグ等として記憶部１４０等に記憶されているものとする。
【００４１】
制御部１６０は、情報生成部１３０からの指示情報に基づき、画像ミュートであるかどうかを判定し（ステップＳ３）、画像ミュートである場合、画像生成部１８０に対して非表示制御を行う（ステップＳ４）。画像生成部１８０は、当該非表示制御に応じて黒色、白色等の単色画像等を生成する。
【００４２】
また、制御部１６０は、情報生成部１３０からの指示情報に基づき、マイク音声ミュートであるかどうかを判定し（ステップＳ５）、マイク音声ミュートである場合、ライン音声ミュートであるかどうかを判定する（ステップＳ６）。なお、制御部１６０は、マイク音声ミュートでない場合もライン音声ミュートであるかどうかを判定する（ステップＳ７）。
【００４３】
マイク音声ミュートであって、かつ、ライン音声ミュートである場合、制御部１６０は、音声増幅部１７０に対して消音制御（音声増幅部１７０の出力を停止）を行う（ステップＳ８）。また、マイク音声ミュートであって、かつ、ライン音声ミュートでない場合、制御部１６０は、第１のゲイン調整部１５０に対して消音制御（ゲインを０にする）を行う（ステップＳ９）。また、マイク音声ミュートでなく、かつ、ライン音声ミュートである場合、制御部１６０は、第２のゲイン調整部１５２に対して消音制御を行う（ステップＳ１０）。
【００４４】
なお、図４、図５に示すように、ユーザーは、ミュート解除操作を行う場合、ミュート指示として最初に押したボタンと同じボタンを押す。例えば、情報生成部１３０は、ミュート操作指示があった場合、最初に押されたボタンのボタンＩＤを記憶しておき、ミュート状態で当該ボタンＩＤと一致するボタンＩＤのボタンが押された場合、ミュート解除指示情報を生成する。制御部１６０は、当該ミュート解除指示情報に応じて消音制御を終了する。
【００４５】
以上のように、本実施例によれば、プロジェクター１００は、指示データ１４２を記憶しておき、操作内容に応じて第１のゲイン調整部１５０、第２のゲイン調整部１５２または音声増幅部１７０に対して消音制御を行うことにより、マイク入力端子１１０、ライン入力端子１１４等の複数の音声入力部がある場合であっても独立して音声ミュート等を行うことができる。
【００４６】
また、本実施例によれば、プロジェクター１００は、プロジェクター１００の種別ごとに指示データ１４２を設けておくことにより、プロジェクター１００の種別によって消音制御内容が異なる場合であっても、プロジェクター１００の種別に応じて適切な消音制御を行うことができる。
【００４７】
また、本実施例によれば、プロジェクター１００は、音だけでなく画像に対しても適切な非表示制御を行うことができる。
【００４８】
さらに、本実施例によれば、プロジェクター１００は、使用状況に応じて適切なミュートを行うことができる。例えば、ユーザーがパーティー会場でプロジェクター１００を使用する場合、ユーザーは、画像とライン音声をミュートした状態でマイクを使用してパーティーを進行させることができ、画像とライン音声のミュートを解除してＤＶＤを再生しながらカラオケを行うことができ、マイク音声とライン音声をミュートしてＵＳＢメモリーに記憶された動画像データを再生することができる。
【００４９】
このように、本実施例によれば、ユーザーは、リモコン２００のボタン操作だけで使用状況に応じてミュート有効化とミュート解除を行うことができる。これにより、プロジェクター１００は、ユーザーによるプロジェクター１００の使い易さを向上させることができる。
【００５０】
（第２の実施例）
プロジェクターは、ユーザーに指示データを編集させてもよい。次に、ユーザーに指示データを編集させる実施例について説明する。
【００５１】
図７は、第２の実施例におけるプロジェクター１０１の機能ブロック図である。プロジェクター１０１の記憶部１４１は、指示データ１４３に加えて指示データ１４３を編集するための指示画像等を生成するための画像データ１４４を記憶している。また、情報生成部１３１は、操作情報に応じて指示データ１４３を更新する機能を有し、画像生成部１８１は、画像データ１４４に基づいて画像を生成する機能を有している。これら以外の各部の機能は第１の実施例と同様であるため、説明を省略する。
【００５２】
図８は、第２の実施例における指示データ１４３の一例を示す図である。指示データ１４３は、リモコン２００の数字ボタンを押すことにより、ミュートを有効にし、あるいは、ミュートを解除することができるように設定されている。例えば、通常の状態において、ユーザーは、リモコン２００の「１」のボタンを押すことにより、画像、ライン音声およびマイク音声をミュートすることができる。
【００５３】
ここで、指示データ１４３の設定手順について説明する。図９は、第２の実施例における指示データ１４３の設定手順を示すフローチャートである。
【００５４】
情報生成部１３１は、操作情報入力部１２０からの操作情報に基づき、指示データ１４３の確認変更指示があるかどうかを判定する（ステップＳ１１）。例えば、ユーザーは、環境設定メニュー等を表示させる指示を行うことにより、指示データ１４３の確認変更指示を行う。
【００５５】
指示データ１４３の確認変更指示があった場合、情報生成部１３１は、指示画像を生成させる指示情報を生成し、制御部１６０は、当該指示情報に応じて画像生成部１８１を制御する。画像生成部１８１は、当該制御に応じて指示データ１４３と、画像データ１４４に基づき、指示画像を生成し、投写部１９０は、当該指示画像を投写する（ステップＳ１２）。
【００５６】
図１０は、第２の実施例における指示画像３００の一例を示す図である。ユーザーは、リモコン２００の上下左右ボタンを押して指示画像３００における斜線部分で示すカーソルを移動させ、リモコン２００の所望の数字ボタンを押すことによりミュート指示操作を行うためのボタンの割り当てや変更を行う。
【００５７】
情報生成部１３１は、操作情報入力部１２０からの操作情報に基づき、ミュート指示操作を行うためのボタンの変更指示があるかどうかを判定する（ステップＳ１３）。ボタンの変更指示があった場合、情報生成部１３１は、当該変更指示を示す操作情報（例えば、カーソルの位置情報、押された数字ボタンのボタンＩＤ等）に応じて指示データ１４３を更新する（ステップＳ１４）。
【００５８】
また、情報生成部１３１は、操作情報入力部１２０からの操作情報に基づき、設定終了指示があるかどうかを判定する（ステップＳ１５）。例えば、ユーザーは、リモコン２００の決定ボタンを押すことにより、設定終了指示を行う。
【００５９】
プロジェクター１０１は、設定終了指示がない場合はステップＳ１２〜Ｓ１５の処理を続行し、設定終了指示がない場合は当該処理を終了する。ミュート制御手順は第１の実施例と同様であるため説明を省略する。
【００６０】
以上のように、本実施例によっても、プロジェクター１０１は、第１の実施例と同様の作用効果を奏する。また、本実施例によれば、ユーザーは、所望の操作を行うことにより、所望のミュート指示を行うことができる。
【００６１】
（その他の実施例）
なお、本発明の適用は上述した実施例に限定されず、種々の変形が可能である。例えば、混合部１９６は必須の構成ではなく、プロジェクター１００、１０１は、第１のゲイン調整部１５０からの第１の音声信号を増幅して第１の増幅音声信号を生成する第１の音声増幅部と、第２の音声信号を増幅して第２の増幅音声信号を生成する第２の音声増幅部と、第１の増幅音声信号に基づき、第１の音声を出力するとともに、第２の増幅音声信号に基づき、第２の音声を出力する音声出力部を含んで構成されてもよい。
【００６２】
また、ミュート指示やミュート解除指示を行う操作は上述した実施例に限定されず、当該操作を行うための機器もリモコン２００に限定されない。例えば、当該操作は、複数のボタンを同時に押す操作、タッチパネルやペンタブレットにおけるタッチ操作や移動操作、キーボード操作、マウス操作等であってもよい。また、業務用プロジェクターではＡ／Ｖミュートボタン２１２が押されたことを検出した場合、家庭用プロジェクターではブレイクボタン２１１が押されたことを検出した場合、プロジェクター１００は、マイク入力レベルを低下させてマイク音声をミュートするようにしてもよい。このような構成によれば、ワンアクションでマイク音声をミュートすることができ、利便性が高まる。
【００６３】
また、制御部１６０は、第１のゲイン調整部１５０または第２のゲイン調整部１５２に対する消音制御時に元のゲイン値を記憶しておき、ミュート解除指示時に当該元のゲイン値でゲイン調整を行うように第１のゲイン調整部１５０および第２のゲイン調整部１５２を制御してもよい。また、制御部１６０は、マイク音声とライン音声の両方をミュートする際に音声増幅部１７０に代えて第１のゲイン調整部１５０および第２のゲイン調整部１５２に対して消音制御を行ってもよい。
【００６４】
また、画像生成部１８０、１８１は、画像のミュート指示時に画像データ１４４に基づいてユーザーによって設定された画像（例えば、ユーザーロゴ画像等）を生成してもよい。また、第１の音声と第２の音声の組合せはマイク音声とライン音声の組合せに限定されない。例えば、第１の音声が外部装置から入力される音声等で第２の音声が内部メモリーに記憶された音声データに基づく音声等であってもよい。また、プロジェクター１００、１０１は、３つ以上の音声入力部を有している場合であっても各音声入力部からの音声信号を個別に消音制御することが可能である。
【００６５】
また、プロジェクター１００は、情報記憶媒体に記憶されたプログラムを読み取ることにより、上述したプロジェクター１００の各部として機能してもよい。
【００６６】
また、プロジェクター１００は、液晶プロジェクター（透過型、ＬＣＯＳ等の反射型）に限定されず、例えば、デジタルマイクロミラーデバイスを用いたプロジェクター等であってもよい。また、プロジェクター１００の機能を複数の装置（例えば、ＰＣとプロジェクター等）に分散してもよい。
【符号の説明】
【００６７】
１００、１０１  プロジェクター、１１０  マイク入力端子（第１の音声入力部）、１１２  マイクアンプ部、１１４  ライン入力端子（第２の音声入力部）、１２０  操作情報入力部、１３０、１３１  情報生成部、１４０、１４１  記憶部、１４２、１４３  指示データ、１４４  画像データ、１５０  第１のゲイン調整部、１５２  第２のゲイン調整部、１６０  制御部、１７０  音声増幅部、１７２  音声出力部、１８０、１８１  画像生成部、１９０  投写部、２００  リモコン、２１１  ブレイクボタン、２１２  Ａ／Ｖミュートボタン、２２０  ミュートボタン、２３０  マイク入力レベルボタン、２４０  入力検出ボタン、３００  指示画像
【図１】
2011055182.tif 000003
【図２】
2011055182.tif 000004
【図３】
2011055182.tif 000005
【図４】
2011055182.tif 000006
【図５】
2011055182.tif 000007
【図６】
2011055182.tif 000008
【図７】
2011055182.tif 000009
【図８】
2011055182.tif 000010
【図９】
2011055182.tif 000011
【図１０】
2011055182.tif 000012